(57)【要約】      （修正有）【課題】人の就寝時に掛け布団を肩まで掛けた場合、首筋周りや両肩部分が、枕と掛け布団との隙間となる。この首筋周りや両肩部分の枕と掛け布団との隙間を十分に覆い隠し、就寝中の寒さや冷えを防止し、安眠につながる保温用の肩布団付き枕を開発し提供する。【解決手段】人の首まわり状の凹部を中央部近傍に有する肩当て部３を構成する肩布団と、枕部２を構成する枕とを有する肩布団付き枕であって、前記枕部の表面下部と前記肩当て部３（肩布団）の凹部逆側表面とが連結されて構成される肩布団付き枕。【選択図】図１
2020171344.tif 000002
【特許請求の範囲】
【請求項１】
人の首まわり状の凹部を中央部近傍に有する肩当て部を構成する肩布団と、
枕部を構成する枕と
を具備する肩布団付き枕であって、
前記枕部の表面下部と前記肩当て部（肩布団）の凹部逆側表面とが連結されていることに特徴を有する肩布団付き枕。
【請求項２】
前記肩布団付き枕全体の枕カバーであって、
前記枕部は前記枕カバーの枕部に挿入され、
前記肩布団は前記枕カバーの肩当て部に挿入されることにより、前記枕部と前記肩当て部とが前記枕カバーを介して連結された肩布団付き枕を構成することに特徴を有する請求項１に記載の肩布団付き枕。
【請求項３】
請求項１に記載の肩布団。
【請求項４】
請求項２に記載の枕カバー。
【発明の詳細な説明】
【技術分野】
【０００１】
本発明は、就寝中に使用する枕に係り、特に、就寝中に首や肩の保温を目的に使用する肩布団と一体型の枕に関する。
【背景技術】
【０００２】
一般的に、人は就寝中に枕を用いるが、掛け布団を肩まで掛けた場合、首筋周りや両肩部分が、枕と掛け布団との隙間となる。この首筋周りや両肩部分の枕と掛け布団との隙間は、特に女性や高齢者にとっては就寝中、寒く感じ、場合によっては冷えにつながり、安眠を妨げることも多い。また場合によっては健康を害する要因となることもある。
【０００３】
本発明は、このような就寝時の首筋周りや両肩部分の枕と掛け布団との隙間による冷えを防止することを目的として考案された。
【０００４】
このような課題を解決するものとしては、下記に挙げるような先行文献によって各種提案がなされてきた。
【０００５】
たとえば、特許文献１（特開２０００−３１６６９１号公報）では、凹形状の布を、凹形状の上半分が両肩をカバー出来、凹形状の下半分が首筋をカバー出来るように、枕カバー本体の開口していない側面に縫着して成る肩掛け付き枕カバーの技術思想が開示されている。
【０００６】
しかし、この例では、凹形状の布が人の肩の下側から上側に向かって肩に掛かる形態となり、肩を覆って保温することができない。つまり、肩及び首部の保温という目的に対する根本的な解決策を提示したことにはなっていない。
【０００７】
また特許文献２（特開２０１６−１０１４６３号公報）では、筒状であり、胴体部に水平面と曲面を有し、保温性、柔軟性および復元性を有する詰め物が内部に充填された寝具の技術思想が開示されている。
【０００８】
しかし、この寝具例においても、筒状寝具が肩の背中側と肩の上部に充てがわれるのみであり、肩の上側から首筋にかけては開口された状態となる。つまり、これも肩及び首部の保温という目的に対する根本的な解決策を提示したことにはなっていない。
【先行技術文献】
【特許文献】
【０００９】
【特許文献１】特開２０００−３１６６９１号公報
【特許文献２】特開２０１６−１０１４６３号公報
【発明の概要】
【発明が解決しようとする課題】
【００１０】
これまでの技術もしくは技術的思想では、就寝時に掛け布団を肩まで掛けた場合、首筋周りや両肩部分に枕と掛け布団との隙間ができることを防ぎ、就寝時の人の身体の肩部及び首筋部を完全に覆って十分保温する形態には至っていない。
【００１１】
本発明は、人の就寝時に掛け布団を肩まで掛けた場合、首筋周りや両肩部分が、枕と掛け布団との隙間となる。この首筋周りや両肩部分の枕と掛け布団との隙間を十分に覆い隠し、就寝中の寒さや冷えを防止し、安眠につながる保温用の肩布団付き枕を開発し提供することを課題とする。
【００１２】
本発明は、このような就寝時の首筋周りや両肩部分の枕と掛け布団との隙間を覆い、就寝時の冷えを防止する肩布団付き枕であって、安価であるため経済性も比較的高く、取扱いが簡易で、洗濯等が安易にでき、清潔さを保ち、且つ安全性も確保できる肩布団付き枕を提供することを企図したものである。  
【課題を解決するための手段】
【００１３】
かかる課題を解決するため、本発明に係る肩布団付き枕は、人の首まわり状の凹部を中央部近傍に有する肩当て部を構成する肩布団と、枕部を構成する枕とを具備する肩布団付き枕であって、前記枕部の表面下部と前記肩当て部（肩布団）の凹部逆側表面とが連結されて構成されていることに特徴を有する。
【００１４】
本発明に係る肩布団付き枕の肩当て部は、例えば人の肩幅より長い横幅を有し、その中央部近傍に凹部を構成する。肩当て部の長さは、略人の首を覆う長さがあればよい。
【００１５】
就寝の際、この凹部を首の後ろ側から首周りに充てがうように挿入して寝ることによって、肩当て部の左右両サイド側が首に柔らかく巻き付くような態様となり、首周り及び両肩を保護し保温することができる。例えば上記凹部の連結部内部が、羽毛等のクッションのように柔らかい緩衝機能を具備していることにより、人が寝た際、首部後ろ側で凹部の連結部を圧接して、肩当て部の左右両サイド側が首に柔らかく巻き付くような態様になり易くなる。（図１、図３参照）
【００１６】
本発明に係る肩布団付き枕は、前記肩布団付き枕全体の枕カバーであって、前記枕部は前記枕カバーの枕部に挿入され、前記肩布団は前記枕カバーの肩当て部に挿入されることにより、前記枕部と前記肩当て部とが前記枕カバーを介して連結された肩布団付き枕を構成することに特徴を有することもできる。
【００１７】
つまり本発明に係る肩布団付き枕は、前記肩布団と前記枕を挿入して肩布団付き枕を構成する連結枕カバーによっても形成することができる。（図４参照）
【００１８】
つまり、本発明に係る肩布団付き枕は前記の枕カバーとしても、前記の肩布団単体としても機能するため、これらを全て本願の技術思想に含むものとする。
【００１９】
また本発明は、本発明に近似する従来技術を用いて種々な形態が考えられるが、これらの均等技術においても本発明の技術思想に含まれることは言うまでもない。
【発明の効果】
【００２０】
本発明によれば、就寝時に掛け布団を肩まで掛けた場合、首筋周りや両肩部分に枕と掛け布団との隙間ができることを防ぎ、就寝時の人の身体の肩部及び首筋部を完全に覆って保温することができる肩布団付き枕を提供することができる。
【００２１】
そして、本発明によれば、肩布団付き枕であって、安価で経済性も比較的高く、取扱いが簡易で、洗濯等が安易にでき、清潔且つ安全性も確保できる肩布団付き枕を提供することができ、人の安眠を補助し健康増進に貢献できる。
【図面の簡単な説明】
【００２２】
【図１】本発明の一実施形態に係る肩布団付き枕の全体イメージを示した概念図である。
【図２】本発明の一実施形態に係る肩布団付き枕の肩当て部を示した概念図である。
【図３】本発明の一実施形態に係る肩布団付き枕の使用状態を示した概念図である。
【図４】本発明の一実施形態に係る肩布団付き枕の枕カバーを示した概念図である。
【発明を実施するための形態】
【００２３】
以下、図面を参照して本発明を実施するための形態について説明する。なお、以下では本発明の目的を達成するための説明に必要な範囲を模式的に示し、本発明の該当部分の説明に必要な範囲を主に説明することとし、説明を省略する箇所については公知技術によるものとする。
【００２４】
図１は、本発明の一実施形態に係る肩布団付き枕の全体イメージを示した概念図である。同図に示すように、図１の右側は枕部２であり、左側は肩当て部３となり、連結部４を介して枕部２と肩当て部３は連結されている。枕部２及び肩当て部３は、内部に羽毛や綿、ポリエチレン（パイプ）、クッション材などを充填して柔らかく構成されている。
【００２５】
特に肩当て部３の略中央部には、人の首周りを囲い込むように凹状が形成されており、人の首周り及び肩周りを保温する役割を果たす。枕部２と肩当て部３との連結部の略中央部近傍の肩当て部３には上記のように内部に羽毛や綿・クッション材などを充填して柔らかく構成されているため、人が本発明の一実施形態に係る肩布団付き枕を装着して寝た場合、柔らかく人の首周り及び肩周りを囲い込む形態となるため、首周り及び肩周りを保温する役割を果たす。
【００２６】
図２は、本発明の一実施形態に係る肩布団付き枕の肩当て部を示した概念図である。同図に示すように、枕部２は、例えば枕カバーとして形成されていてもよい。枕部２の部分に通常使用する枕を挿入して使用することができる。図２に示すように、肩当て部３のみが、内部に羽毛や綿、クッション材などを充填して柔らかく構成されていてもよい。
【００２７】
図３は、本発明の一実施形態に係る肩布団付き枕の使用状態を示した概念図である。同図に示すように、枕部２と肩当て部３との連結部の略中央部近傍の肩当て部３の内部に羽毛や綿・クッション材などを充填して柔らかく構成されているため、人が本発明の一実施形態に係る肩布団付き枕を装着して寝た場合、柔らかく人の首周り及び肩周りを囲い込む形態となるため、首周り及び肩周りを保温する役割を果たす。
【００２８】
図３に示すように、本発明の一実施形態に係る肩布団付き枕の使用した場合、掛け布団と枕の間にできる首周り及び肩周りの隙間を完全に無くし、首周り及び肩周りを保温する役割を果たす。内部に充填されたクッション材が羽毛であれば、夏の暑い季節であっても清涼さを保つことができ、快適な睡眠を得ることができる。
【００２９】
図４は、本発明の一実施形態に係る肩布団付き枕の枕カバーを示した概念図である。同図に示すように、本発明の一実施形態に係る肩布団付き枕は、枕部２及び肩当て部３の両方が枕カバー形態であってもよい。枕と肩当て部３の形状で構成された肩布団を、上記枕カバー形態の中に挿入して使用することができる。
【００３０】
図４のように枕カバー形態であれば、洗濯が可能であり清潔さを保つことができる。一体型であるため便利な枕カバーとなる。肩当て部３が暑い場合は、肩当て部の肩布団を除けばよい。
【００３１】
上記のように、本発明の一実施形態に係る肩布団付き枕の枕カバーは、非常に安価に構成することができるため経済性が最も優れている。本発明の一実施形態に係る肩布団付き枕のサイズには特に限定する要因はない。子供用、大人用など任意に構成することができる。内部充填材も特に物質を限定するものではない。好ましくは羽毛などが快適であることは言うまでもない。
【００３２】
なお、本発明は上述した実施形態に限定されるものではなく、本発明の主旨を逸脱しない範囲内で種々変更して実施することが可能である。これらはすべて、本技術思想の一部である。
【産業上の利用可能性】
【００３３】
上述したように、本願に係る発明によれば、人の就寝時に掛け布団を肩まで掛けた場合、首筋周りや両肩部分が、枕と掛け布団との隙間となる。この首筋周りや両肩部分の枕と掛け布団との隙間を十分に覆い隠し、就寝中の寒さや冷えを防止し、安眠につながる保温用の肩布団付き枕を開発し提供することができる。
【００３４】
また、本願によれば、経済効率も格段に向上させることの可能な肩布団付き枕を提供することができるため、人の健康増進に寄与することができる。
【００３５】
したがって、本発明は、肩布団付き枕の製造販売に係る産業に限定されることなく、医療や健康に係る各種産業に対しても大きな有益性をもたらすものである。
【符号の説明】
【００３６】
１  肩布団付き枕
２  枕部
３  肩当て部
４  連結部
５  枕用開口部
６  肩布団用開口部
７  頭
８  枕
９  肩布団
【図１】
2020171344.tif 000003
【図２】
2020171344.tif 000004
【図３】
2020171344.tif 000005
【図４】
2020171344.tif 000006